(57)【要約】【課題】床パネルの着脱が簡便な支持部材セット及び冷暖房システムを提供する。【解決手段】支持部材セット１は、所定の間隔で配列された複数の根太鋼２０と、根太鋼２０に取り付けられたパネル受３０であって、載置される床パネルＦＰを位置決めする突部３５が形成されたパネル受３０とを備える。而して、あらかじめ寸法が決まっているフリーアクセスフロアや合板等の床パネルＦＰを、パネル受３０の突部３５に合わせて配置していくことで、適切に床パネルＦＰを敷設することができ、床パネルＦＰの着脱を簡便に行うことができる。冷暖房システムは、支持部材セット１と、気体の温度を調節する気体温度調節機と、気体温度調節機で温度が調節された気体を支持部材セット１に導く気体連絡流路とを備える。【選択図】図１
2020051080.tif 000002
【特許請求の範囲】
【請求項１】
所定の間隔で配列された複数の根太鋼と；
前記根太鋼に取り付けられたパネル受であって、載置される床パネルを位置決めする突部が形成されたパネル受とを備える；
支持部材セット。
【請求項２】
前記根太鋼は、中空で、断面形状が矩形から一辺が取り除かれた開口面が形成されて構成され、前記開口面を上方に向けて配置されており；
前記パネル受は、断面の基本形状が矩形に形成され、前記開口面から前記根太鋼の内部に嵌め込まれて配置された；
請求項１に記載の支持部材セット。
【請求項３】
前記根太鋼は、中空で、断面形状が矩形から一辺が取り除かれた開口面が形成されて構成され、前記開口面を上方に向けて配置されており；
前記パネル受は、基本形状が板状に形成されて、前記開口面を塞ぐように配置されており；
前記パネル受で前記開口面が塞がれた前記根太鋼の内部に気体が移動可能な内部流路が形成されると共に、気体が前記内部流路から流出する流出口が前記パネル受に形成されて構成された；
請求項１に記載の支持部材セット。
【請求項４】
請求項１乃至請求項３のいずれか１項に記載の支持部材セットと；
気体の温度を調節する気体温度調節機と；
前記気体温度調節機で温度が調節された気体を前記根太鋼の内部に向けて前記支持部材セットに導く気体連絡流路とを備える；
冷暖房システム。
【発明の詳細な説明】
【技術分野】
【０００１】
本発明は支持部材セット及び冷暖房システムに関し、特に床パネルの着脱を簡便に行うことができる支持部材セット及び冷暖房システムに関する。
【背景技術】
【０００２】
大引鋼を複数本平行に配列し、この上に根太鋼を大引鋼に対して交差するように複数本平行に配列して、この根太鋼の上に床材を敷設することで床面を形成する鋼製床がある。このような鋼製床を用いて、鋼製床上の空間の冷暖房を行うものとして、大引鋼及び根太鋼の内部に空気の流路を形成し、この内部の空気流路に温度調節済みの空気を流し、温度調節済みの空気の冷熱又は温熱を床材に伝達して、床材からの輻射熱で冷暖房を行うものがある（例えば、特許文献１参照。）。
【先行技術文献】
【特許文献】
【０００３】
【特許文献１】特開２０１０−１１２５６６号公報
【発明の概要】
【発明が解決しようとする課題】
【０００４】
床材の裏（床下）の空間に空調設備等の機器を収容すると、床下空間の点検等が必要になる場合があるところ、フリーアクセスフロアのように床材を簡便に着脱することができれば床下空間の点検等を行いやすいが、これまでの鋼製床ではフリーアクセスフロアに対応したものが存在しなかった。
【０００５】
本発明は上述の課題に鑑み、床パネルの着脱を簡便に行うことができる支持部材セット及び冷暖房システムを提供することを目的とする。
【課題を解決するための手段】
【０００６】
上記目的を達成するために、本発明の第１の態様に係る支持部材セットは、例えば図１に示すように、所定の間隔Ｌ２で配列された複数の根太鋼２０と；根太鋼２０に取り付けられたパネル受３０であって、載置される床パネルＦＰを位置決めする突部３５（例えば図３参照）が形成されたパネル受３０とを備える。
【０００７】
このように構成すると、あらかじめ寸法が決まっているフリーアクセスフロアや合板等の床パネルを、パネル受の突部に合わせて配置していくことで、適切に床パネルを敷設することができ、床パネルの着脱を簡便に行うことができる。
【０００８】
また、本発明の第２の態様に係る支持部材セットは、例えば図２（Ｂ）及び図３に示すように、上記本発明の第１の態様に係る支持部材セットにおいて、根太鋼２０は、中空で、断面形状が矩形から一辺が取り除かれた開口面２０ｈが形成されて構成され、開口面２０ｈを上方に向けて配置されており、パネル受３０は、断面の基本形状が矩形に形成され、開口面２０ｈから根太鋼２０の内部に嵌め込まれて配置（図１参照）されている。
【０００９】
このように構成すると、パネル受を根太鋼に簡便に取り付けることができると共に、根太鋼の長手方向へのパネル受の位置調整を簡便に行うことができる。
【００１０】
また、本発明の第３の態様に係る支持部材セットは、例えば図２（Ｂ）及び図６（図７）に示すように、上記本発明の第１の態様に係る支持部材セットにおいて、根太鋼２０は、中空で、断面形状が矩形から一辺が取り除かれた開口面２０ｈが形成されて構成され、開口面２０ｈを上方に向けて配置されており；パネル受１３０（２３０）は、基本形状が板状に形成されて、開口面２０ｈを塞ぐように配置されており；パネル受１３０（２３０）で開口面２０ｈが塞がれた根太鋼２０の内部に気体が移動可能な内部流路２５が形成されると共に、気体が内部流路２５から流出する流出口１３６（２３７、２３８）がパネル受に形成されて構成されている。
【００１１】
このように構成すると、内部流路に温度調節済みの気体を流すことで、温度調節済みの気体が流出口から流出して床パネルの裏面に沿って流れて床パネルの温度を変化させて、温度が変化した床パネルからの冷熱又は温熱の輻射によって、室内の冷暖房を行うことが可能となる。
【００１２】
また、本発明の第４の態様に係る冷暖房システムは、例えば図４に示すように、上記本発明の第１の態様乃至第３の態様のいずれか１つの態様に係る支持部材セット１と；気体ＳＡの温度を調節する気体温度調節機６１と；気体温度調節機６１で温度が調節された気体ＳＡを根太鋼２０の内部に向けて支持部材セット１に導く気体連絡流路Ｄ（例えば図５（Ａ）参照）とを備える。
【００１３】
このように構成すると、温度が調節された気体を根太鋼に流し、根太鋼から気体を床パネルの裏面に沿って拡散させることで床パネルの温度を変化させて、温度が変化した床パネルからの冷熱又は温熱の輻射によって、室内の冷暖房を行うことができる。
【発明の効果】
【００１４】
本発明によれば、あらかじめ寸法が決まっているフリーアクセスフロアや合板等の床パネルを、パネル受の突部に合わせて配置していくことで、適切に床パネルを敷設することができ、床パネルの着脱を簡便に行うことができる。
【図面の簡単な説明】
【００１５】
【図１】（Ａ）は本発明の実施の形態に係る支持部材セットの概略構成を示す斜視図、（Ｂ）は（Ａ）中のＢ部分拡大斜視図である。
【図２】本発明の実施の形態に係る支持部材セットの構成部材を示す図であり、（Ａ）は大引鋼の部分斜視図、（Ｂ）は根太鋼の部分斜視図、（Ｃ）は大引鋼と根太鋼との接続部まわりの部分断面図である。
【図３】本発明の実施の形態に係る支持部材セットを構成するパネル受の斜視図である。
【図４】本発明の実施の形態に係る冷暖房システムの概略構成を示す平面図である。
【図５】根太鋼まわりの概略構成を示す断面図であり、（Ａ）は床下チャンバを構成する部分のもの、（Ｂ）はフリーアクセスフロア部分のものを示す図である。
【図６】第１の変形例に係るパネル受の斜視図である。
【図７】（Ａ）は第２の変形例に係るパネル受の斜視図、（Ｂ）は突起まわりの部分平面図である。
【発明を実施するための形態】
【００１６】
以下、図面を参照して本発明の実施の形態について説明する。なお、各図において互いに同一又は相当する部材には同一あるいは類似の符号を付し、重複した説明は省略する。
【００１７】
まず図１を参照して、本発明の第１の実施の形態に係る支持部材セット１を説明する。図１（Ａ）は支持部材セット１の概略構成を示す斜視図、図１（Ｂ）は図１（Ａ）におけるＢ部分拡大斜視図である。支持部材セット１は、部屋の床面を構成する床パネルＦＰを支持するものであり、複数本の大引鋼１０と、複数本の根太鋼２０と、根太鋼２０に嵌め込まれた複数のパネル受３０とを備えている。床パネルＦＰは、典型的にはフリーアクセスフロアに適しているあらかじめ寸法が決められたパネルが用いられるが、あらかじめ寸法が決まっている合板であってもよい。大引鋼１０及び根太鋼２０は、図１（Ａ）に示す例では、説明の便宜上、それぞれ３本ずつ備えることとしているが、実際は構成する部屋の広さに応じてこれらの数は増減される。
【００１８】
大引鋼１０は、根太鋼２０を受ける長尺の鋼材である。大引鋼１０は、典型的には、細長の溶融亜鉛めっき鋼板を断面が「ハット形状」となるように折り曲げ加工して形成された棒状の部材である。「ハット形状」は、周囲に鍔が付いた帽子（ハット）のような形状であり、例えば断面矩形の中空角柱を、その当該矩形断面の底辺の中央で長手方向に沿って切断し、その切断した底辺をこの辺に交わる側辺との交点でそれぞれ１８０°外側に回転させて形成される形状である。このような形状により、大引鋼１０は、中空で、断面形状において矩形から一辺が取り除かれた開口面が形成されていることとなる。大引鋼１０は、典型的には、図２（Ａ）に示すように、天面１１と、側面１２と、鍔部１３とを有している。天面１１は、細長い長方形の平板状部材で構成されている。側面１２は、天面１１の一対の長辺から天面１１に対して直角に同方向に延びる一対の細長い長方形の平板状部材で構成されている。鍔部１３は、側面１２の、天面１１が接続された辺に対向する辺から、天面１１と平行に外側へ延びる長方形の平板状部材で構成されている。大引鋼１０は、天面１１に対向する面が開口面１０ｈとなった開渠状に構成されている。大引鋼１０は、天面１１と、一対の側面１２と、開口面１０ｈとで囲まれた部分を、流体が流通可能な内部流路１５とすることができるように構成されている。大引鋼１０は、図１（Ａ）に示すように、複数本が、それぞれの開口面１０ｈを下方に向けて、相互に所定の大引間隔Ｌ１で、平行に配列されている。
【００１９】
根太鋼２０は、床パネルＦＰを受ける長尺の鋼材である。根太鋼２０は、典型的には、大引鋼１０と同様に、細長の溶融亜鉛めっき鋼板を断面が「ハット形状」となるように折り曲げ加工して基本形状が形成された棒状の部材である。したがって、根太鋼２０も、中空で、断面形状において矩形から一辺が取り除かれた開口面が形成されていることとなる。根太鋼２０は、典型的には、図２（Ｂ）に示すように、主面２１と、側面２２と、鍔部２３とを有している。主面２１は、細長い長方形の平板状部材で構成されている。側面２２は、主面２１の一対の長辺から主面２１に対して直角に同方向に延びる一対の細長い長方形の平板状部材で構成されている。鍔部２３は、側面２２の、主面２１が接続された辺に対向する辺から、主面２１と平行に外側へ延びる長方形の平板状部材で構成されている。根太鋼２０は、主面２１に対向する面が開口面２０ｈとなった開渠状に構成されている。根太鋼２０は、主面２１と、一対の側面２２と、開口面２０ｈとで囲まれた部分を、流体が流通可能な内部流路２５とすることができるように構成されている。また、根太鋼２０は、鍔部２３から側面２２の一部にかけて続く切欠き２６が形成されている。切欠き２６は、開口面２０ｈが床パネルＦＰで塞がれたときに内部流路２５を流れてきた気体が所定の流速で流出するような大きさに形成されている。切欠き２６は、典型的には、根太鋼２０の長手方向に等間隔で、かつ、対向する一対の鍔部２３と側面２２との組の相互に千鳥配列で、形成されている。根太鋼２０は、図１（Ａ）に示すように、複数本が、それぞれの開口面２０ｈを上方に向けて、相互に所定の根太間隔Ｌ２で、大引鋼１０に載置するように平行に配列されている。本実施の形態では、各根太鋼２０は、大引鋼１０に対して直交するように配列されている。
【００２０】
図２（Ｃ）に示すように、大引鋼１０及び根太鋼２０は、両者が交差した部分で、天面１１と主面２１とが接触している。そして、両者が接触した部分に、大引鋼１０の内部流路１５と根太鋼２０の内部流路２５とを連絡する連絡孔１９が形成されている。連絡孔１９の断面積の大きさは、天面１１と主面２１とが接触する面積よりも小さく、内部流路１５から内部流路２５へ通過する気体の想定される流量を勘案して決定するとよい。連絡孔１９は、天面１１と主面２１とが接触する部分のそれぞれに形成されている。
【００２１】
図３には、パネル受３０の概略構成が示されている。パネル受３０は、溶融亜鉛めっき鋼板を断面の基本形状が矩形となるように折り曲げ加工して形成された部材である。ここで、断面の基本形状が矩形とは、全体でみれば（概観が）矩形と認識できるが、一部切欠きがある等で完全な矩形ではないものも含むことを意図している。パネル受３０は、上面３１と、一対の側面３２と、底部３３とを有している。上面３１及び一対の側面３２は、本実施の形態ではそれぞれ長方形に形成されている。底部３３は、上面３１に対向する面に設けられており、一対の側面３２のそれぞれの、上面３１が接続された辺に対向する辺に連接している。底部３３は、本実施の形態では、上面３１の外形に合同な形状に対して短辺が延びる方向の中央部分が長手方向に沿って取り除かれた形状になっている。パネル受３０は、上面３１の短辺が延びる方向の長さ、換言すれば一対の側面３２の外面間の距離（以下、この方向の距離をパネル受３０の「幅」という。）が、根太鋼２０（図２（Ｂ）参照）の内部流路２５の幅（一対の側面２２の内面間の距離）よりもやや小さい同程度に形成されている。このように構成されていることで、パネル受３０を根太鋼２０の内部流路２５に嵌め込むことができるようになっている。パネル受３０は、根太鋼２０の内部流路２５に嵌め込まれたときに、用途や状況に応じて、根太鋼２０に対して固定される幅か、遊びが極力小さいながらも根太鋼２０の長手方向に沿って移動することができる程度の幅とするのが好ましい。パネル受３０の幅が根太鋼２０の内部流路２５の幅よりもやや小さいというのはこのことを意図している。
【００２２】
パネル受３０は、上面３１に、突起３５が形成されている。突起３５は、本実施の形態では、上面３１の一部を矩形に罫書き、罫書いた矩形の３辺を切断し、切断していない残りの１辺を軸として、罫書いた内側の矩形部分を外側に起こすことによる、切り起こし加工によって形成されている。突起３５を切り起こした跡の上面３１には、跡穴３１ｈが形成されることとなる。突起３５は、上面３１を長辺方向で二等分する仮想長分割線ＶＬの上に２つ、上面を短辺方向で二等分する仮想短分割線ＶＳの上に２つの、合計４つが設けられている。仮想長分割線ＶＬの上に設けられた２つの突起３５は、仮想短分割線ＶＳの両側に１つずつ配置されている。仮想短分割線ＶＳの上に設けられた２つの突起３５は、仮想長分割線ＶＬの両側に１つずつ配置されている。仮想長分割線ＶＬ及び仮想短分割線ＶＳの上に設けられた各突起３５は、その長手方向が仮想分割線ＶＬ、ＶＳに沿う向きで配置されている。突起３５は、長手方向の長さが、上面３１の短辺を二等分した長さよりもやや短い（例えば二等分した長さの概ね３／４〜４／５）長さに形成されており、幅はパネル受３０を構成する鋼板の厚さとなっており、高さは床パネルＦＰ（図１（Ａ）参照）の厚さよりも小さくて床パネルＦＰの移動を止めることができる大きさに形成されている。
【００２３】
図１（Ａ）及び図１（Ｂ）に、パネル受３０が根太鋼２０の内部流路２５に嵌め込まれた状態が示されている。この状態のパネル受３０は、１箇所あたり、４つの突起３５のうちの２つの突起３５に、１枚の床パネルＦＰの直交する２つの辺のそれぞれが当接することになる。したがって、根太間隔Ｌ２及び隣接するパネル受３０の間隔は、床パネルＦＰの大きさに合わせられている。このように、突起３５は、床パネルＦＰを位置決めする機能を有しており、パネル受３０の突部に相当する。
【００２４】
次に図４を参照して、本発明の第２の実施の形態に係る冷暖房システム１００の構成を説明する。図４は、冷暖房システム１００の概略構成を示す部分平面図である。冷暖房システム１００は、主として部屋Ｒの冷房又は暖房（以下「冷暖房」という。）を行うためのシステムである。冷暖房システム１００は、上述した支持部材セット１と、空気の温度を調節する温調機器６１と、温調機器６１で温度が調節された空気（以下「温調空気ＳＡ」という。）を大引鋼１０の内部に導く床下チャンバＤを形成する床下塞板５１とを備えている。本実施の形態では、支持部材セット１の根太鋼２０の上に床パネルＦＰが敷き詰められている。床パネルＦＰは、根太鋼２０に嵌め込まれたパネル受３０によって四隅が位置決めされている。図４に示す例では、床パネルＦＰの下の構成を示すため、床パネルＦＰを部分的に切り欠いて示している。また、図４中の最下列のスパン（温調機器６１から左横に続くスパン）に本来存在するはずの床パネルＦＰ及び床下塞板５１を省略している。敷き詰められた床パネルＦＰの上の空間は、区画壁Ｗが設けられることによって、部屋Ｒと廊下Ｃとが区画されている。本実施の形態では、区画壁Ｗは平面視において根太鋼２０に対して平行になるように設置されており、これによって、大引鋼１０は平面視において区画壁Ｗに直交して廊下Ｃから部屋Ｒに渡るように延びている。大引鋼１０の末端及び根太鋼２０の末端には、それぞれ、端部キャップ（不図示）が取り付けられており、内部流路１５、２５を流体が流れた際に、末端から流体が流出しないようになっている。
【００２５】
温調機器６１は、部屋Ｒの輻射冷暖房を行うことができる温度に調節した温調空気ＳＡを生成する機器であり、気体温度調節機に相当する。温調機器６１は、典型的にはパッケージ型空調機が用いられるが、エアハンドリングユニットやルームエアコン等が用いられることとしてもよい。温調機器６１は、本実施の形態では、廊下Ｃの隅に設置されている。温調機器６１は、部屋Ｒ及び廊下Ｃから離れた場所（例えば機械室等）に設置されることとしてもよく、その場合はダクトを設置して温調空気ＳＡを温調機器６１から廊下Ｃの隅まで搬送するように構成するとよい。
【００２６】
図５（Ａ）は、廊下Ｃの部分の概略断面図である。廊下Ｃの部分では、大引鋼１０は、コンクリートスラブ（以下「スラブＳＬ」という。）に固定された支持脚５５の上に載置されている。隣接する大引鋼１０の間には、薄板状の床下塞板５１が配置されている。床下塞板５１は、大引鋼１０の鍔部１３（図２（Ａ）参照）と支持脚５５とに挟まれるようにして固定されている。床下塞板５１が設置されることで、スラブＳＬと床下塞板５１との間に、温調空気ＳＡを流すことができる床下チャンバＤが形成されている。なお、床パネルＦＰと床下塞板５１との間に形成される空間を中間空間ＫＣということとする。支持脚５５の高さは、用途に応じて適宜決定されればよいが、床下チャンバＤの高さになるので、適切な流量の温調空気ＳＡが適切な流速で床下チャンバＤを通過できる高さを確保することが好ましい。また、１つの大引鋼１０に着目すると、一方の側で隣接する大引鋼１０との間に配置された床下塞板５１と、他方の側で隣接する大引鋼１０との間で配置された床下塞板５１との合計２枚の床下塞板５１を支持脚５５との間に挟んでいるが、この２枚の床下塞板５１は、接触させずに隙間Ｄｈを空け、この隙間Ｄｈを介して床下チャンバＤから大引鋼１０の内部流路１５に温調空気ＳＡが流入するようになっている。
【００２７】
図５（Ｂ）は、部屋Ｒの部分の概略断面図である。部屋Ｒの部分でも、大引鋼１０は、スラブＳＬに固定された支持脚５５の上に載置されている。支持脚５５の高さは、廊下Ｃの部分の支持脚５５の高さと同じになっている。したがって、支持脚５５の高さは、廊下Ｃの用途というよりも、部屋Ｒの用途に応じて適宜決定するとよい。部屋Ｒの部分では、大引鋼１０の開口面１０ｈを塞ぐ細長い薄板状の大引開口塞板５２が、大引鋼１０の鍔部１３（図２（Ａ）参照）と支持脚５５とに挟まれて固定されている。部屋Ｒの部分では、大引鋼１０と支持脚５５との間に大引開口塞板５２が設けられているだけで、隣接する大引鋼１０の間に仕切が設けられていないので、隣接する大引鋼１０の間はスラブＳＬから床パネルＦＰまでの高さを有する床下空間ＫＲになっている。なお、本実施の形態では、区画壁Ｗは床パネルＦＰの下にも設けられており、床下空間ＫＲと、床下チャンバＤ及び中間空間ＫＣとは、気体が連絡しないようになっている。
【００２８】
冷暖房システム１００は、床パネルＦＰが敷き詰められることで、上を向いている根太鋼２０の開口面２０ｈが床パネルＦＰによって塞がれ、根太鋼２０の内部流路２５は周囲が囲まれることとなる。なお、部屋Ｒ及び廊下Ｃの床上から見て、隣接する床パネルＦＰ間に温調空気ＳＡが許容範囲を超えて（例えばドラフトを感じる等）通過する隙間が生じる場合は、床パネルＦＰと根太鋼２０との間にシートや薄板部材を設置してもよい。また、図４に示すように、部屋Ｒの縁の部分の床パネルＦＰには、床下空間ＫＲと部屋Ｒの内部とを連絡する制気口Ｇが設けられている。このような制気口Ｇは、中間空間ＫＣと廊下Ｃとを連絡することができるように、図示は省略しているが、廊下Ｃの縁の部分にも設けられている。
【００２９】
引き続き、図１乃至図５を参照して、支持部材セット１及び冷暖房システム１００の作用を説明する。以下では、支持部材セット１の作用は、冷暖房システム１００の作用の一環として説明する。まず、図４を参照すると、温調機器６１では、部屋Ｒを輻射冷暖房するのに適した温度（設定温度によるが、例えば、冷房時１８〜２３℃、暖房時３０〜３５℃）に調節された温調空気ＳＡが生成される。輻射冷暖房は、一般に、対流のみによる冷暖房（温度調節された空気を冷暖房室内に供給して行う冷暖房）に比べて、温度調節された空気の温度と外気温との差が小さくなるように設計されるため、温調空気ＳＡを生成するためのエネルギーが少なくて済む。温調機器６１で生成された温調空気ＳＡは、廊下Ｃの部分の下の床下チャンバＤに吹き出される。床下チャンバＤに供給された温調空気ＳＡは、温調機器６１から離れるように流れて行き、各大引鋼１０の下にある２枚の床下塞板５１の隙間Ｄｈ（図５（Ａ）参照）から各大引鋼１０内の内部流路１５に流入する。このように、本実施の形態では、床下チャンバＤが、温調機器６１で生成された温調空気ＳＡを支持部材セット１に導く役割を果たしており、気体連絡流路に相当する。各内部流路１５に流入した温調空気ＳＡは、廊下Ｃの部分から部屋Ｒの部分に向かって内部流路１５内を流れて行き、途中、根太鋼２０と連絡する連絡孔１９に出会うと、連絡孔１９を介して根太鋼２０の内部流路２５に流入する。
【００３０】
根太鋼２０の内部に、それぞれの連絡孔１９から流入した温調空気ＳＡは、根太鋼２０の長手方向に内部流路２５を流れ、根太鋼２０に形成された各切欠き２６から根太鋼２０の外に流出する。このとき、切欠き２６が鍔部２３と側面２２の上部とに渡って形成されているので、切欠き２６から流出した温調空気ＳＡは、床パネルＦＰの裏面に沿って流れ、床下空間ＫＲ又は中間空間ＫＣに至る。このように、温調空気ＳＡが床パネルＦＰの裏面に沿って流れるとき、温調空気ＳＡは床パネルＦＰに接触しながら流れて床パネルＦＰに冷熱（冷房時）又は温熱（暖房時）を伝達する。このことにより、床パネルＦＰは冷やされ又は温められる。ここで、切欠き２６の大きさは、流出した温調空気ＳＡが床パネルＦＰとの間に形成される境膜（流体が相対運動をしている場合に相境界に存在する、層流状態が保たれている極薄い領域）を破壊する風速で流れる開口面積に形成するのが好ましい。一般に、床パネルＦＰと温調空気ＳＡの流れとの間に空気が滞留する境膜が存在すると表面熱伝達抵抗が大きくなって温調空気ＳＡが保有する冷熱又は温熱が効率よく床パネルＦＰに伝達されなくなるが、境膜を破壊することによって熱伝達率を向上させることができる。なお、床パネルＦＰは、接触している根太鋼２０からも冷熱又は温熱を受熱して冷やされ又は温められる。根太鋼２０及び大引鋼１０は鋼板で形成されているので、熱伝導率が比較的高く、効率よく床パネルＦＰに冷熱又は温熱を伝達することができる。そして、冷やされ又は温められた床パネルＦＰから部屋Ｒに冷熱又は温熱が輻射され、部屋Ｒの冷房又は暖房が行われる。
【００３１】
床パネルＦＰに冷熱又は温熱を伝達した温調空気ＳＡは、冷房時は温度が上昇して暖房時は温度が低下している。床パネルＦＰと熱交換して床下空間ＫＲに存在する温調空気ＳＡは、制気口Ｇを介して部屋Ｒ内に流入し、部屋Ｒ内を対流する。部屋Ｒ内に流入した温調空気ＳＡは、床パネルＦＰの温度と同等あるいは冷房時は床パネルＦＰよりも低温で暖房時は床パネルＦＰよりも高温であるので、部屋Ｒの冷暖房に寄与することとなる。床パネルＦＰと熱交換して中間空間ＫＣに存在する温調空気ＳＡは、制気口（不図示）を介して廊下Ｃに流入する。部屋Ｒ及び中間空間ＫＣに流入した温調空気ＳＡは、その後、ドアガラリ（不図示）等から外部に流出する。外部に流出した分の温調空気ＳＡは、温調機器６１から床下チャンバＤ内に吹き出され、以降、上述の作用を繰り返す。なお、本実施の形態では、パネル受３０を目安にして床パネルＦＰが支持部材セット１に載置されているので、温調機器６１が運転中か停止中かにかかわらず、床パネルＦＰを支持部材セット１から外してメンテナンス等を容易に行うことができる。
【００３２】
以上で説明したように、本実施の形態に係る支持部材セット１によれば、あらかじめ寸法が決まっている床パネルＦＰを簡便に着脱することができる。また、本実施の形態に係る冷暖房システム１００によれば、温調空気ＳＡを根太鋼２０の内部流路２５に流し、切欠き２６から流出させることにより、温調空気ＳＡ及び根太鋼２０から冷熱又は温熱を床パネルＦＰに伝達させることができ、床パネルＦＰの温度を変化させて、温度が変化した床パネルＦＰからの冷熱又は温熱の輻射によって、部屋Ｒの冷暖房を行うことができる。
【００３３】
次に図６を参照して、第１の変形例に係るパネル受１３０を説明する。図６は、パネル受１３０の斜視図である。パネル受１３０は、支持部材セット１（図１参照）において、パネル受３０（図１及び図３参照）の代わりに設けられるものである。以下の説明において、支持部材セット１や冷暖房システム１００（図４参照）の構成に言及しているときは、適宜図１乃至図５を参照することとする。パネル受１３０は、溶融亜鉛めっき鋼板を、板状のままの基本形状に対して、床パネルＦＰの載置及び温調空気ＳＡの拡散に適した加工が施されて形成された部材である。パネル受１３０は、基本形状において、長さ１３０Ｌが床パネルＦＰの一辺と実質的に同じ長さ、幅１３０Ｗが根太鋼２０の鍔部２３が形成された面の幅（開口面２０ｈの幅とその両側の鍔部２３の幅との合計長さ）と同じ幅、厚さ１３０Ｔが床パネルＦＰと鍔部２３との間に温調空気ＳＡを吹き出させることができる厚さ（例えば３ｍｍ〜１０ｍｍ、好ましくは４ｍｍ〜６ｍｍ、典型的には５ｍｍ程度）に形成されている。このような基本形状を有するパネル受１３０は、根太鋼２０の開口面２０ｈを塞ぐように、両側の鍔部２３の面に接触させて取り付けられる。パネル受１３０を根太鋼２０に取り付けることにより、根太鋼２０の内部に形成される内部流路２５は、概ね暗渠状になる。
【００３４】
パネル受１３０は、上述の基本形状に対して、突起１３５と、流出口１３６とが形成されている。突起１３５は、典型的には、パネル受３０（図３参照）の上面３１に形成された突起３５と同様の形状及び大きさに形成されている。また、本変形例では、突起１３５の数及びそれらの相対的な配置並びに加工要領も、パネル受３０の突起３５と同様となっている。４つの突起１３５は、本変形例では、細長のパネル受１３０の、長手方向の一方の端部に配置されている。流出口１３６は、長さ１３０Ｌの方向に延びる辺から、幅１３０Ｗの方向に切り込んで形成された開口である。流出口１３６は、幅１３０Ｗの方向の距離が、内部流路２５の少なくとも一部が現れる大きさになっており、典型的には幅１３０Ｗの０．５倍に形成されている。流出口１３６の長さ１３０Ｌの方向の距離は、本変形例では、幅１３０Ｗの方向の距離に対して概ね１．５〜２倍に形成されているが、他の適切な大きさであってもよい。流出口１３６は、典型的には長さ１３０Ｌの方向に等間隔で、かつ、長さ１３０Ｌの方向に延びる一対の辺の相互に千鳥配列で形成されている。
【００３５】
上述のように構成されたパネル受１３０は、前述のように、根太鋼２０に対して、開口面２０ｈを塞ぐように両側の鍔部２３の面に接触させて取り付けられる。このとき、平面視において、流出口１３６から根太鋼２０の内部流路２５の一部が見える状態になる。このように、本変形例では、流出口１３６によって内部流路２５を流れる温調空気ＳＡを根太鋼２０の外に流出させることができるので、根太鋼２０に切欠き２６を形成しなくてもよい。根太鋼２０に切欠き２６を形成しないようにすると、加工の手間を低減することができ、冷暖房システム１００を構築する期間を短縮することができる。パネル受１３０は、複数が、突起１３５が形成された端部を同じ方向にして、長さ１３０Ｌの方向に連ねて配置される。換言すれば、突起１３５が設けられた側の端部の辺と、突起１３５が設けられた側とは反対側の端部の辺とを突き合わせて配置される。パネル受１３０は、複数本の根太鋼２０に対して、同じ要領で配置される。パネル受１３０が取り付けられた支持部材セット１の上に、床パネルＦＰが敷き詰められる。床パネルＦＰは、パネル受１３０の突起１３５によって四隅が位置決めされ、その後はパネル受３０（図３参照）が用いられた場合と同様の要領で、冷暖房システム１００が構築される。パネル受１３０が用いられている冷暖房システム１００では、温調機器６１から床下チャンバＤ及び大引鋼１０を介して根太鋼２０の内部流路２５を流れることとなった温調空気ＳＡが、流出口１３６から流出し、床パネルＦＰの裏面と鍔部２３の面との間を通過して、床パネルＦＰの裏面に沿って流れ、床下空間ＫＲ又は中間空間ＫＣに至る。本変形例においても、温調空気ＳＡが床パネルＦＰの裏面に沿って流れるときに床パネルＦＰに冷熱（冷房時）又は温熱（暖房時）を伝達すると共に、床パネルＦＰは根太鋼２０からも冷熱又は温熱を受熱して冷やされ又は温められ、冷やされ又は温められた床パネルＦＰから部屋Ｒに冷熱又は温熱が輻射され、部屋Ｒの冷房又は暖房が行われる。
【００３６】
次に図７を参照して、第２の変形例に係るパネル受２３０を説明する。図７（Ａ）はパネル受２３０の斜視図である。パネル受２３０は、パネル受１３０（図６参照）と同様、支持部材セット１（図１参照）において、パネル受３０（図１及び図３参照）の代わりに設けられるものである。パネル受２３０は、典型的にはパネル受１３０と同じ基本形状を有しており、その長さ２３０Ｌ、幅２３０Ｗ、厚さ２３０Ｔは、それぞれ、パネル受１３０の長さ１３０Ｌ、幅１３０Ｗ、厚さ１３０Ｔと同じになっている。パネル受２３０にも、４つの突起２３５が形成されている。突起２３５は、パネル受１３０の突起１３５と同様の形状、大きさ、その数及びそれらの相対的な配置、並びに加工要領となっている。しかしながら、突起２３５は、パネル受１３０の突起１３５と異なり、長さ２３０Ｌの方向の中央に配置されている。また、パネル受２３０は、パネル受１３０における流出口１３６（図６参照）に相当する構成が形成されておらず、拡張開口２３７及び追加開口２３８が形成されている。拡張開口２３７は、仮想短分割線ＶＳの上に設けられた２つの突起２３５のそれぞれを切り起こした際に形成された開口をさらに長辺側（幅２３０Ｗの方向）に拡張して形成された開口である。拡張開口２３７は、典型的には、パネル受２３０を根太鋼２０に取り付けたときに鍔部２３と側面２２との境界線の位置まで、長辺側に拡張されている。追加開口２３８は、仮想短分割線ＶＳに対して拡張開口２３７の反対側に、追加で形成された開口である。追加開口２３８は、長さ２３０Ｌの方向の距離が、典型的には突起２３５と同じとなっており、幅２３０Ｗの方向については、仮想短分割線ＶＳの側は突起２３５に接触しておらず、長辺側は鍔部２３と側面２２との境界線の位置に達している。拡張開口２３７及び追加開口２３８は、それぞれ２個ずつ形成されており、仮想短分割線ＶＳ及び仮想長分割線ＶＬを直交する座標軸と見たときに、拡張開口２３７が第一象限と第三象限に、追加開口２３８が第二象限と第四象限に、それぞれ配置されている。
【００３７】
図７（Ｂ）の突起２３５まわりの部分平面図に示すように、パネル受２３０では、床パネルＦＰが載置される前に、スペーサ２３９がセットされる。スペーサ２３９は、薄板状で平面形状が十字状に形成された部材であり、その厚さは例えば３ｍｍ〜１０ｍｍ、好ましくは４ｍｍ〜６ｍｍ、典型的には５ｍｍ程度になっている。スペーサ２３９は、中央から延びる４つの棒状の部分のそれぞれに、突起２３５を通過させることができる突起用孔２３９ｈが形成されている。スペーサ２３９は、４つの突起用孔２３９ｈのそれぞれに突起２３５を通してパネル受２３０に装着されたときに、中央から延びる棒状の部分の隣接するもの同士の間に、拡張開口２３７又は追加開口２３８が現れる大きさに形成されている。
【００３８】
上述のように構成されたパネル受２３０は、根太鋼２０に対して、開口面２０ｈを塞ぐように両側の鍔部２３の面に接触させて取り付けられる。スペーサ２３９が、図７（Ｂ）に示すように、突起用孔２３９ｈに突起２３５を通してパネル受２３０に取り付けられるのは、パネル受２３０が根太鋼２０に取り付けられる前でも取り付けられた後でもよい。スペーサ２３９が取り付けられたパネル受２３０は、複数が、長さ２３０Ｌの方向に連ねて配置され、これが複数本の根太鋼２０に対して同じ要領で配置される。スペーサ２３９付パネル受２３０が取り付けられた支持部材セット１の上に、床パネルＦＰが敷き詰められる。床パネルＦＰが敷き詰められると、床パネルＦＰはスペーサ２３９に接触するので、スペーサ２３９が存在しない部分ではパネル受２３０と床パネルＦＰの裏面との間にスペーサ２３９の厚さ分の隙間が形成されることとなる。なお、床パネルＦＰは、パネル受２３０の突起２３５によって四隅が位置決めされ、その後はパネル受１３０が用いられた場合と同様の要領で、冷暖房システム１００が構築される。パネル受２３０が用いられている冷暖房システム１００では、温調機器６１から床下チャンバＤ及び大引鋼１０を介して根太鋼２０の内部流路２５を流れることとなった温調空気ＳＡが、拡張開口２３７及び追加開口２３８から流出し、床パネルＦＰの裏面とパネル受２３０との間を通過して、床パネルＦＰの裏面に沿って流れ、床下空間ＫＲ又は中間空間ＫＣに至る。このように、拡張開口２３７及び追加開口２３８は、内部流路２５から温調空気ＳＡを流出させる開口であり、流出口に相当する。本変形例においても、温調空気ＳＡが床パネルＦＰの裏面に沿って流れるときに床パネルＦＰに冷熱（冷房時）又は温熱（暖房時）を伝達すると共に、床パネルＦＰは根太鋼２０からも冷熱又は温熱を受熱して冷やされ又は温められ、冷やされ又は温められた床パネルＦＰから部屋Ｒに冷熱又は温熱が輻射され、部屋Ｒの冷房又は暖房が行われる。
【００３９】
なお、パネル受１３０（図６参照）及びパネル受２３０（図７参照）において、突起１３５、２３５から離れた位置で、突起１３５、２３５を形成するのとは別の切起こしを形成して下方（内部流路２５の中の方向）に曲げることで、根太鋼２０の長手方向に直交する方向の振れを抑制する振れ止めを形成してもよい。
【００４０】
以上の説明では、支持部材セット１が大引鋼１０を含むこととしたが、状況に応じて大引鋼１０を省略してもよい。大引鋼１０を省略する場合、気体連絡流路は、根太鋼２０の内部流路２５に温調空気ＳＡを導くことになる。
【００４１】
以上の説明では、床下空間ＫＲに放出された温調空気ＳＡを、制気口Ｇを介して部屋Ｒに流入させることとしたが、床下空間ＫＲから屋外に放出してもよく、あるいは床下空間ＫＲからダクトを介して温調機器６１に還気してもよい。中間空間ＫＣに放出された温調空気ＳＡについても同様である。
【符号の説明】
【００４２】
１      支持部材セット
２０    根太鋼
２０ｈ  開口面
２５    内部流路
３０、１３０、２３０  パネル受
３５、１３５、２３５  突起
６１    温調機器
１００  冷暖房システム
１３６  流出口
２３７  拡張開口
２３８  追加開口
Ｄ      床下チャンバ
ＦＰ    床パネル
ＳＡ    温調空気
【図１】
2020051080.tif 000003
【図２】
2020051080.tif 000004
【図３】
2020051080.tif 000005
【図４】
2020051080.tif 000006
【図５】
2020051080.tif 000007
【図６】
2020051080.tif 000008
【図７】
2020051080.tif 000009